(57)【要約】【課題】プラントの稼動時に発生する警報の管理に際し、混在するメンテナンス時の警報と異常時の警報とを的確に分類管理する。【解決手段】プラント４からのプロセス信号５を入力する信号入力部１１と、信号入力部１１に入力されたプロセス信号５の中から警報信号を警報ＩＤ情報として順次検出する警報検出部１２と、警報検出部１２から出力された上記警報ＩＤ情報を記憶する警報記憶部１３と、警報記憶部１３から読み出された上記警報ＩＤ情報を表示する警報表示部１６と、警報表示部１６に表示された上記警報ＩＤ情報と表示画面上で対応づけられた警報要因を入力する警報要因入力部１５とを備える。そして、警報記憶部１３は、警報要因入力部１５から出力された上記警報要因を警報検出部１２から出力された上記警報ＩＤ情報と対応付けて記憶させるデータベース構造を有する。【選択図】　　　図１
2004085268.tif 000002
【特許請求の範囲】
【請求項１】
プラントからのプロセス信号を入力する信号入力手段と、
前記信号入力手段に入力された前記プロセス信号の中から警報信号を警報ＩＤ情報として順次検出する警報検出手段と、
前記警報検出手段から出力された前記警報ＩＤ情報を各レコードに記憶する警報記憶手段と、
前記警報記憶手段内の前記各レコードから読み出された前記警報ＩＤ情報を表示する警報表示手段と、
前記警報表示手段に表示された前記警報ＩＤ情報と予め関連付けられた前記警報表示手段上の所定領域を指示可能とし、この領域に表示されるべき警報発生の原因に関する警報要因を入力する警報要因入力手段と、
を備えたプラント用警報管理システムにおいて、
前記警報記憶手段は、前記警報要因入力手段から出力された前記警報要因を前記警報検出手段から出力された前記警報ＩＤ情報と作業領域上で追加警報ＩＤ情報として対応付けて前記警報ＩＤ情報とともに前記各レコードに記憶させるデータベース構造を有することを特徴とするプラント用警報管理システム。
【請求項２】
請求項１に記載のプラント用警報管理システムにおいて、前記警報記憶手段内の前記各レコードから前記警報要因を読み出し、この警報要因を指標として前記各レコードを前記警報要因ごとに分類可能とし、この分類に基づいて前記警報表示手段の表示形式を前記警報表示手段に対して変更させる警報分類手段を更に備えたことを特徴とするプラント用警報管理システム。
【請求項３】
請求項１又は２に記載のプラント用警報管理システムにおいて、前記警報表示手段は、前記データベース内の各レコードから読み出された前記警報ＩＤ情報と前記警報要因とを新規警報ＩＤ情報としてマトリックス形式で一括表示可能とすることを特徴とするプラント用警報管理システム。
【請求項４】
プラントからのプロセス信号を入力し、
この入力されたプロセス信号の中から警報に関する警報ＩＤ情報が検出されたときには、前記警報ＩＤ情報を表示手段に表示し、
警報発生の原因に関する警報要因が入力されたときには、前記警報要因を前記警報ＩＤ情報に対する追加警報ＩＤ情報として対応付けて前記警報ＩＤ情報とともに前記表示手段に対してマトリックス形式で一括表示することを特徴とするプラント用警報管理方法。
【請求項５】
請求項４に記載のプラント用警報管理方法において、前記警報要因の入力は操作員によって前記表示手段の所定領域に対して行われることを特徴とするプラント用警報管理方法。
【請求項６】
プラントからのプロセス信号を入力し、
この入力されたプロセス信号の中から警報に関する警報ＩＤ情報が検出されたときには、前記警報ＩＤ情報を記憶手段に書き込み、
警報発生の原因に関する警報要因が入力されたときには、前記警報要因を前記警報ＩＤ情報に対する追加警報ＩＤ情報として対応付けて前記警報ＩＤ情報とともに前記記憶手段に書き込み、
前記記憶手段から読み出された前記警報ＩＤ情報と前記警報要因を新規警報ＩＤ情報として表示手段に対してマトリックス形式で一括表示することを特徴とするプラント用警報管理方法。
【請求項７】
請求項６に記載のプラント用警報管理方法において、前記警報要因の入力は操作員によって前記表示手段の所定領域に対して行われることを特徴とするプラント用警報管理方法。
【請求項８】
請求項６に記載のプラント用警報管理方法において、前記表示手段の表示形式の変更命令が入力された場合には、前記記憶手段から前記警報要因を読み出し、この警報要因を指標として前記警報ＩＤ情報を前記警報要因ごとに分類し、この分類に基づいて前記表示手段の前記表示形式を変更することを特徴とするプラント用警報管理方法。
【請求項９】
請求項８に記載のプラント用警報管理方法において、前記表示形式の変更命令の入力は操作員によって前記表示手段の所定領域に対して行われることを特徴とするプラント用警報管理方法。
【発明の詳細な説明】
【０００１】
【発明の属する技術分野】
本発明は、産業プラントなどで発生する警報の管理システム及び管理方法に関し、特に警報の発生要因を入力し、これに基づいて表示画面上で警報を管理可能とする警報管理システム及び警報管理方法に関する。
【０００２】
【従来の技術】
鉄鋼製造プラント、紙パルプ製造プラント、上水道管理プラント、ごみ処理プラントなどに代表される各種産業プラントにおいては、プラントの稼動にともない多くの警報が発生する。
【０００３】
従来、これらの警報を管理するため情報として、警報確認、発生時刻、タグ、説明などの情報が使用されていた。これらの情報は、通常、警報監視制御装置内に警報ＩＤ情報としてデータベース化されている。
【０００４】
警報監視制御装置内にデータベース化された警報ＩＤ情報は、警報監視制御装置に付加されたＣＲＴなどの表示画面に表示される。そして、従来、操作員はこの表示画面の表示に基づいて警報を管理していた。
【０００５】
ところで、プラントの稼動時に発生する警報は、大きく分けて、機器のメンテナンス時などに発生する警報と、プラントの異常時に発生する重大な警報に分類される。そして、通常、これらの警報は混在している。
【０００６】
このような状況においては、従来の警報ＩＤ情報には登録されていなかった警報要因（警報が発生した原因に関する情報）などの新たなＩＤ情報に基づいて警報を分類管理することが重要な課題となる。
【０００７】
この課題を解決するにあたって、従来、操作員は警報要因のうちの重要なものについて日誌に手書きで記録するなどしていた。
【０００８】
しかし、その場合、操作員は警報の管理にあたって警報監視制御装置に付加された表示装置の表示画面と日誌という実質上２つのインターフェースを相互に参照しなければならないことになる。そのため、操作員は、従来の警報ＩＤ情報と警報要因を一つの警報ＩＤ情報として統合するのに手間がかかり、警報の管理、分析に不手際が生じるという問題があった。
【０００９】
このようなインターフェース統合の問題を解決するために、特開平５−１６４５７７において、発生したプラント警報をＣＲＴなどの単一の表示画面上で制御する警報監視制御装置が開示されている。
【００１０】
この警報監視制御装置は、プラントの立ち上げ、立ち下げ時、あるいはプラントの出力を上昇させたり、下降させたりする過渡的な運転時に無駄な警報が発生するのを防止する装置であって、警報の記憶や確認、ブザー停止などの定型型の命令がキーボード上にコマンドキーとして予め与えられている。
【００１１】
したがって、操作員はそれらのコマンドキーを操作することによって、単一の表示画面上に警報ＩＤ情報及びコマンドの内容を一括表示させることが可能となる。これにより、操作員は単一のインターフェース上に表示された情報のみに基づき警報の監視制御をすることが可能となる。
【００１２】
しかし、この場合においても、警報要因などの新たなＩＤ情報の記載に関しては、やはり操作員が日誌に手書きで記録するなどしなければならなかったため、プラントの稼動時に発生する警報の管理に際して混在するメンテナンス時の警報と異常時の警報とを的確に分類管理するという課題に関しては開かれた問題として残されていた。
【００１３】
【発明が解決しようとする課題】
このように、従来の警報監視制御装置においては、通常の警報ＩＤ情報には登録されていない警報要因などの新たなＩＤ情報に基づき警報の管理、分析をするに際し、ＣＲＴなどの表示画面上に表示された情報と日誌に記載された情報とを一つに統合するのに手間がかかり、日誌管理にも手間がかかるなどの問題があった。
【００１４】
更に、このような警報監視制御装置においては、交代勤務により操作員が入れ替わった場合に、業務をスムーズに引き継ぐことが困難であるといった問題もあった。
【００１５】
本発明は、上記問題に鑑みてなされたものであり、警報発生の原因に関する警報要因などの警報に関する追加ＩＤ情報をメモ入力することによって、警報要因を従来の警報ＩＤ情報とともに表示画面上に一括表示させ、操作員が単一の表示画面のみを参照することによって警報を一括して的確に分類管理することができ、過去にさかのぼって警報の履歴情報を解析する場合においても、警報と直結したメモを警報の履歴情報とともに単一の表示画面に表示させることにより、容易に解析作業が行うことができるプラント用警報管理システムを提供することを目的とする。
【００１６】
【課題を解決するための手段】
上記課題を解決するための手段として、請求項１に記載のプラント用警報管理システムは、プラントからのプロセス信号を入力する信号入力手段と、前記信号入力手段に入力された前記プロセス信号の中から警報信号を警報ＩＤ情報として順次検出する警報検出手段と、前記警報検出手段から出力された前記警報ＩＤ情報を各レコードに記憶する警報記憶手段と、前記警報記憶手段内の前記各レコードから読み出された前記警報ＩＤ情報を表示する警報表示手段と、前記警報表示手段に表示された前記警報ＩＤ情報と予め関連付けられた前記警報表示手段上の所定領域を指示可能とし、この領域に後に表示されるべき警報発生の原因に関する警報要因を入力する警報要因入力手段とを備え、前記警報記憶手段は、前記警報要因入力手段から出力された前記警報要因を前記警報検出手段から出力された前記警報ＩＤ情報と作業領域上で追加警報ＩＤ情報として対応付けて前記警報ＩＤ情報とともに前記各レコードに記憶させるデータベース構造を有することを特徴とする。
【００１７】
又、請求項２に記載のプラント用警報管理システムは、請求項１に記載のプラント用警報管理システムにおいて、前記警報記憶手段内の前記各レコードから前記警報要因を読み出し、この警報要因を指標として前記各レコードを前記警報要因ごとに分類可能とし、この分類に基づいて前記警報表示手段の表示形式を前記警報表示手段に対して変更させる警報分類手段を更に備えたことを特徴とする。
【００１８】
そして、請求項３に記載のプラント用警報管理システムは、請求項１又は２に記載のプラント用警報管理システムにおいて、前記警報表示手段は、前記データベース内の各レコードから読み出された前記警報ＩＤ情報と前記警報要因とを新規警報ＩＤ情報としてマトリックス形式で一括表示可能とすることを特徴とする。
【００１９】
更に、上記課題を解決するための手段として、請求項４に記載のプラント用警報管理方法は、プラントからのプロセス信号を入力し、この入力されたプロセス信号の中から警報に関する警報ＩＤ情報が検出されたときには、前記警報ＩＤ情報を表示手段に表示し、警報発生の原因に関する警報要因が入力されたときには、前記警報要因を前記警報ＩＤ情報に対する追加警報ＩＤ情報として対応付けて前記警報ＩＤ情報とともに前記表示手段に対してマトリックス形式で一括表示することを特徴とする。
【００２０】
又、請求項５に記載のプラント用警報管理方法は、請求項４に記載のプラント用警報管理方法において、前記警報要因の入力は操作員によって前記表示手段の所定領域に対して行われることを特徴とする。
【００２１】
更に、請求項６に記載のプラント用警報管理方法は、プラントからのプロセス信号を入力し、この入力されたプロセス信号の中から警報に関する警報ＩＤ情報が検出されたときには、前記警報ＩＤ情報を記憶手段に書き込み、警報発生の原因に関する警報要因が入力されたときには、前記警報要因を前記警報ＩＤ情報に対する追加警報ＩＤ情報として対応付けて前記警報ＩＤ情報とともに前記記憶手段に書き込み、前記記憶手段から読み出された前記警報ＩＤ情報と前記警報要因を新規警報ＩＤ情報として表示手段に対してマトリックス形式で一括表示することを特徴とする。
【００２２】
そして、請求項７に記載のプラント用警報管理方法は、請求項６に記載のプラント用警報管理方法において、前記警報要因の入力は操作員によって前記表示手段の所定領域に対して行われることを特徴とする。
【００２３】
又、請求項８に記載のプラント用警報管理方法は、請求項６に記載のプラント用警報管理方法において、前記表示手段の表示形式の変更命令が入力された場合には、前記記憶手段から前記警報要因を読み出し、この警報要因を指標として前記警報ＩＤ情報を前記警報要因ごとに分類し、この分類に基づいて前記表示手段の前記表示形式を変更することを特徴とする。
【００２４】
又、請求項９に記載のプラント用警報管理方法は、請求項８に記載のプラント用警報管理方法において、前記表示形式の変更命令の入力は操作員によって前記表示手段の所定領域に対して行われることを特徴とする。
【００２５】
【発明の実施の形態】
以下、本発明の実施形態を図１から図６に基づき説明する。
【００２６】
図１は、本発明のプラント用警報管理システムの一実施形態の概略構成を示すブロック図である。図２は、図１の警報管理システムが掲載される表示画面付き警報監視制御装置の一実施形態を示す概略構成図である。
【００２７】
図１に示すように、プラント用警報管理システムは大きく分けて、警報管理部１０と警報要因入力部１５と警報表示部１６からなる。
【００２８】
警報管理部１０は、例えば図２に示すように、一般の汎用コンピュータなどの警報監視制御装置２３内に組み込まれている。
【００２９】
警報要因入力部１５は、例えば図２に示すように、ディスプレイ２４上に発生警報に関する追加情報としての警報要因を打ち込むキーボード２５やディスプレイ２４上の所定領域を指示し、画面操作をするマウス２６などから構成される。
【００３０】
この警報要因入力部１５は、警報表示部１６に表示された警報を特定するための警報情報（たとえば、警報確認、発生時刻、タグ、説明など）と予め関連付けられた警報表示部１６の所定領域（例えば、図５及び図６のメモ入力エリア３３など）を指示可能とし、この領域に表示されるべき警報要因を入力可能とする。
【００３１】
又、警報表示部１６は、例えば図２に示すように、一般の汎用コンピュータに付加されるＣＲＴなどのディスプレイ２４からなる。
【００３２】
警報管理部１０は更に、プラント４からのプロセス信号５を入力する信号入力部１１と、信号入力部１１から出力されたプロセス信号５の中から警報信号を警報情報として順次検出する警報検出部１２と、警報検出部１２から出力された警報情報をＣＰＵ１、ＲＡＭ２を介して各レコードに記憶する警報記憶部１３とを備えてなる。
【００３３】
警報表示部１６は、ＣＰＵ１を介して、警報記憶部１３からＲＡＭ２の作業領域上に読み出された警報情報を表示させる。又、警報表示部１６は、警報検出部１２から出力された警報情報をＲＡＭ２のみを介して直接表示させることももちろん可能である。
【００３４】
更に、警報記憶部１３は、警報要因入力部１５から出力された警報要因を警報検出部１２から出力された警報情報とＲＡＭ２の作業領域上で対応付けて追加警報情報としてＣＰＵ１を介して警報記憶部１３内の各レコードに上記警報情報とともに記憶させるデータベース構造を有する。
【００３５】
警報記憶部１３は、警報検出部１２からの出力である従来の警報情報（上述した、警報確認、発生時刻、タグ、説明など）が記憶される警報情報記憶領域１３１と、警報要因入力部１３からの出力である警報要因が記憶される警報要因記憶領域１３２を有する。そして、この２つの領域によって警報ＩＤ情報記憶領域１３３が構成される。
【００３６】
この警報情報記憶領域１３１は、複数のレコードの集まりからなり、各レコードには発生した警報ごとの警報情報が格納される。又、警報要因記憶領域１３２も複数のレコードの集まりからなり、各レコードには発生した警報ごとの警報要因が格納される。
【００３７】
警報記憶部１３は、例えば図２に示すように、警報監視制御装置２３における記憶部２１内に格納されている。
【００３８】
更に、警報管理部１０は、ＣＰＵ１を介して、警報記憶部１３における警報要因記憶領域１３２内の各レコードからＲＡＭ２の作業領域上に警報要因を読み出し、この作業領域上に読み出された警報要因を指標として警報情報記憶領域１３１内の各レコードを警報要因ごとに分類し、この分類に基づいて上記警報情報と上記警報要因に関する新規データベースをＲＡＭ２の作業領域上に作成し、この新規データベースに従って警報表示部１６に表示された上記警報情報と上記警報要因の表示形式をＣＰＵ１を介して警報表示部１６に対して変更させる警報分類部１４を備える。
【００３９】
更に、この警報分類部１４は、現在発生中の警報に関する警報情報を発生警報情報として識別可能とし、それらの発生警報情報が蓄積された発生警報の履歴情報を警報履歴情報として識別可能とする。
【００４０】
警報記憶部１３における警報情報記憶領域１３１内の各レコードから呼び出された発生警報情報、又は警報検出部１２からＲＡＭ２のみを介して直接出力された発生警報情報は、警報分類部１４を介して、発生警報画面３１（図５参照）としてディスプレイ２４上に表示される。同様に、警報記憶部１３における警報情報記憶領域１３１内の各レコードから呼び出された警報履歴情報は、警報分類部１４を介して、警報履歴画面３５（図６参照）としてディスプレイ２４上に表示される。
【００４１】
更に、警報表示部１６に表示された上記警報ＩＤ情報と上記警報要因の表示形式を上記分類に基づいて変更させる場合には、キーボード２５やマウス２６によって所定の操作（例えば、ソーティングキーを操作するなど）を行うと、警報分類部１４は、ＲＡＭ２の作業領域上に作成された新規データベースにしたがって、例えば警報履歴情報を警報要因ごとに分類し並び替えて新しい警報履歴画面としてディスプレイ２４上に表示する。
【００４２】
なお、図１において、警報記憶部１３は、信号入力部１１、警報検出部１２、警報分類部１４、警報要因入力部１５、及び警報表示部１６と一体的に警報管理部１０の中に設けられている。しかし、大量の警報情報の履歴データを集中して管理保管するために、警報記憶部１３のみを分離して別途サーバーに組み込んでもよいことは言うまでもない。
【００４３】
又、上記実施形態では、警報情報及び警報要因を表示する警報表示部１６としてＣＲＴディスプレイを一例として説明したわけであるが、本発明はこの実施形態に限らず、他にも液晶ディスプレイ、ＴＦＴディスプレイ、タッチパネルディスプレイ、ＨＭディスプレイ（ヘッドマウントディスプレイ）などさまざまな表示装置が適用できる。
【００４４】
又、上記実施形態では、警報要因入力部１５としてキーボードとマウスを一例として説明したわけであるが、本発明はこの実施形態に限らず、他にもタッチパネル、ジョイスティック、タブレット、スキャナーなどのさまざまな入力装置が適用できる。特に、タッチパネルやジョイスティックなどの入力装置を用いると、あらかじめ想定される警報要因をディスプレイ上に表示させておくことによって、警報ごとにその中から警報要因を選択するといったことも可能となる。
【００４５】
更に、上記実施形態では、警報表示部１６と、警報要因入力部１５をそれぞれＣＲＴディスプレイと、キーボード、マウスのようにそれぞれ別体として説明したわけであるが、これらは、本願クレームに特定された本発明の精神から逸脱することなく、一体的に設けることが可能である。一例としては、タッチパネル、タブレットなどが適用可能である。この場合、上述した利点に加えて、更に操作員は表示画面上に警報要因などの追加情報を直接入力することができるという利点がある。
【００４６】
なお、以上の説明において、本発明の警報管理システムが掲載される表示画面付き警報監視制御装置として、一般的な汎用コンピュータを一例として説明したわけであるが、もちろんこれはプラント専用のプロセスコンピュータであってもよい。
【００４７】
更には、プラントの警報管理は必ずしも同じプラント敷地内から成されるとは限らない。場合によっては、プラント警報を遠隔地から管理することもありえる。その場合は、本発明の警報管理システムを例えば携帯端末に適用することも十分に可能である。その場合には、上述したように、大容量となる警報記憶部１３を別途サーバーに分離し、その他の機能をクライアント携帯端末にもたせることも可能である。
【００４８】
次に、本発明の警報管理システムを用いた現在発生中の警報の管理手順を図１、図２、図３、及び図５を用いて説明する。図３は、上記実施形態に係る警報管理システムを用いた現在発生中の警報に関する発生警報情報の管理手順を示すフローチャートである。又、図５は、現在発生中の警報に関する発生警報情報を表示する発生警報画面の一実施形態を示す説明図である。
【００４９】
図３において、まず信号入力部１１はプラント４からのプロセス信号５の入力を促す（ステップ１）。
【００５０】
次に、警報検出部１２は信号入力部１１に入力されたプロセス信号５が警報に関する信号であるか否かを判断し、警報信号を検出する（ステップ２）。
【００５１】
このプロセス信号５が警報検出部１２によって警報信号であると判断された場合には、ＣＰＵ１は、警報検出部１２からの出力である警報信号を現在発生中の警報に関する発生警報情報としてＲＡＭ２の作業領域に一時記憶させる（ステップ３）。
【００５２】
次に、警報分類部１４を介して、この発生警報情報をディスプレイ２４上に発生警報画面３１として表示させる（ステップ４）。
【００５３】
なお、この時点においては、まだ警報要因は入力されていないので、警報分類部１４は実質上作動しない。
【００５４】
図５に示した発生警報画面３１の一実施形態においては、発生警報画面上に従来の警報監視制御装置の警報表示機能にある、警報確認、発生時刻、タグ、説明などの警報を特定する警報情報表示欄のほかにメモ欄３２が設けられている。
【００５５】
操作員がマウス２６によってマウスポインタ３４をメモ欄３２のメモ入力エリア３３に移動させて、警報要因などの追加ＩＤ情報をキーボード２５によってメモ入力した場合（ステップ５）には、キーボード２５は、ＣＰＵ１を介して、発生警報情報の変更を警報記憶部１３へ通知し、これを受けて、ＣＰＵ１は、上記警報要因をこの発生警報情報に対する追加ＩＤ情報として上記発生警報情報に付加させて警報記憶部１３内の警報要因記憶領域１３２に記憶させる、すなわち記憶の書き換えを行う（ステップ６）。
【００５６】
更に、キーボード２５によって入力された警報要因は、ＲＡＭ２を介して、上記発生警報情報に対応させる形式で発生警報画面３１の所定領域（例えば、メモ欄３２）に書き加えられるといった表示の変更が行われる（ステップ７）。
【００５７】
一方、ステップ２において信号入力部１１からの出力が警報検出部１２によって警報ではないと判断された場合には、一連の作業を終了して次回のプロセス信号の入力待ち状態に戻る。同様に、ステップ５において操作員がキーボード２５によって警報要因情報をメモ入力を行わない場合にも、図３に示した一連の作業を終了して次回のプロセス信号の入力待ち状態に戻る。
【００５８】
なお、上記発生警報画面の一実施形態においては、メモ欄３２が一つである例を説明したわけだが、もちろんこのメモ欄は複数個設けられていても良い。
【００５９】
又、上記発生警報画面の一実施形態においては、上記警報情報欄に記載された警報情報とメモ欄に書き込まれた警報要因とを一体とした情報と行とし発生時刻を列としてマトリックス表示させたものを一例として説明しているが、もちろんこのマトリックス表示において行と列とを置換するなどしてもよい。
【００６０】
更に、本発明の発生警報画面の表示方法はこのようなマトリックス表示に規定される必要はなく、要するに所定情報とメモとの対応関係が操作員にとって明確であるような表示方法であるならば、どのような表示方法（グラフや図など）であっても、本願クレームに特定された本発明の精神から逸脱することなく、適用可能であることは明らかである。
【００６１】
次に、本発明の警報管理システムを用いた過去に発生した警報の履歴の管理手順を図１、図２、図４、及び図６を用いて説明する。図４は、上記実施形態に係る警報管理システムを用いた過去に発生した警報の履歴情報の管理手順を示すフローチャートである。又、図６は、過去に発生した警報の履歴情報を表示する警報履歴画面の一実施形態を示す説明図である。
【００６２】
図４において、まず図３で説明したステップ１からステップ７までの一連の動作を繰り返すことによって、警報記憶部１３には発生した警報に関する発生警報情報が順次書き込まれ、警報履歴情報として蓄積される（ステップ１０）。
【００６３】
次に、操作員がキーボード２５及びマウス２６によって、ＣＰＵ１を介して警報記憶部１３内の警報ＩＤ記憶領域１３３に記憶された警報履歴情報を呼び出した場合（ステップ１１）には、ディスプレイ２４は警報履歴画面３５に警報履歴情報の表示を行う（ステップ１２）。
【００６４】
図６に示した警報履歴画面３５においては、図５と同様に、従来の警報監視制御装置の警報表示機能にある、警報確認、発生時刻、タグ、説明などの警報を特定する警報情報欄の他にメモ欄３２が設けられている。
【００６５】
操作員がマウス２６によってマウスポインタ３４をメモ欄３２のメモ入力エリア３３に移動させて、新たに警報要因などの追加ＩＤ情報や修正事項などをキーボード２５によってメモ入力した場合（ステップ１３）には、キーボード２５は、ＣＰＵ１を介して警報履歴情報の変更を警報記憶部１３へ通知し、これを受けて、ＣＰＵ１は、上記警報要因をこの警報履歴情報に対する追加ＩＤ情報として上記警報履歴情報に付加させて警報記憶部１３の警報要因記憶領域１３２に記憶させる、すなわち記憶の書き換えを行う（ステップ１４）。
【００６６】
更に、キーボード２５によって入力された警報要因は、ＲＡＭ２を介して、上記警報履歴情報に対応させる形式で警報履歴画面３５の所定領域（例えば、メモ欄３２）に書き加えられるといった表示の変更が行われる（ステップ１５）。
【００６７】
又、図６に示した警報履歴画面３５の一実施形態においては、警報情報欄にはソーティングキー３６、３７、及び３８が付加されている。更にメモ欄３２にもソーティングキー３９を備えており、操作員はキーボード２５やマウス２６を用いてソーティングキー３９を操作することで（ステップ１６）、メモの内容に応じた履歴情報のソーティング表示を行うことができる（ステップ１７）。
【００６８】
このとき、ＣＰＵ１は警報記憶部１３の警報要因記憶領域１３２内の各レコードから警報要因をＲＡＭ２の作業領域上に読み出し、この警報要因を指標として警報履歴情報をこの警報要因ごとに分類し、この分類ごとに表示内容を並べ替えるといったような警報履歴画面の表示形式を変更させる。これにより、警報履歴の解析を従来よりも詳細に且つスムーズに行うことが可能となる。
【００６９】
一方、ステップ１１において、操作員が警報履歴情報の呼び出しを行わない場合には、図４に示した一連の作業を終了して待機状態に戻る。同様に、ステップ１３において、操作員が警報履歴情報に追加事項や修正事項をメモ入力しない場合にも、図４に示した一連の作業を終了して待機状態に戻る。
【００７０】
なお、上記発生警報画面の一実施形態においては、メモ欄３２が一つの例を説明したわけだが、もちろんこのメモ欄は複数設けられていても良い。
【００７１】
なお、上記警報履歴画面の一実施形態においても、上記発生警報画面と同様のマトリックス表示を一例としているが、もちろんこのマトリックス表示において行と列とを置換するなどしてもよい。
【００７２】
更に、本発明の警報履歴画面の表示方法は必ずしもこのようなマトリックス表示に規定される必要はなく、要するに警報情報とメモとの対応関係が操作員にとって明確であるような表示方法であるならば、どのような表示方法（グラフや図など）であっても、本願クレームに特定された本発明の精神から逸脱することなく、適用可能であることは明らかである。
【００７３】
【発明の効果】
以上説明したように、本発明によれば、警報発生の原因に関する警報要因を入力する警報要因入力手段と、上記警報要因を上記警報ＩＤ情報と対応付けて表示画面上に表示する警報表示手段とを設けたことによって、混在するメンテナンス時の警報と異常時の警報とを単一の画面上で一括管理することが可能となる。更に、上記警報要因を上記警報ＩＤ情報と対応付けて記憶させる警報記憶手段を設けたことによって、警報の履歴情報を過去にさかのぼって解析する場合にも、容易に解析作業が行うことが可能となる。
【００７４】
又、本発明の別の側面によれば、警報要因に基づいて警報情報を分類可能とする警報分類手段を設けたことによって、上記警報要因を指標として、発生した警報を表示画面上で警報要因ごとに分類することが可能となる。
【００７５】
更に、本発明のもう一つの側面によれば、上記警報表示手段を警報情報と警報要因とをマトリックス表示可能としたことによって、操作員が警報管理する際に誤認を防止することが可能となる。
【図面の簡単な説明】
【図１】本発明に係る一実施形態に係る警報管理システムの概略構成図である。
【図２】図１の警報管理システムが掲載される表示画面付き警報監視制御用コンピュータの一実施形態を示す概略構成図である。
【図３】上記実施形態に係る警報管理システムを用いた現在発生中の警報の管理手順を示すフローチャートである。
【図４】
上記実施形態に係る警報管理システムを用いた過去に発生した警報の管理手順を示すフローチャートである。
【図５】
図２の表示画面に表示される本発明の現在発生中の警報を表示する画面の一実施形態を示す説明図である。
【図６】
図２の表示画面に表示される本発明の過去に発生した警報を表示する画面の一実施形態を示す説明図である。
【符号の説明】
１　ＣＰＵ
２　ＲＡＭ
３　ＲＯＭ
４　プラント
５　プラントからの信号
６　警報要因信号
１０　警報管理部
１１　信号入力部
１２　警報検出部
１３　警報記憶部
１３１　警報情報記憶領域
１３２　警報要因記憶領域
１３３　警報ＩＤ情報記憶領域
１４　警報分類部
１５　警報要因入力部
１６　警報表示部
２１　装置本体の記憶部
２３　警報監視制御装置
２４　ディスプレイ
２５　キーボード
２６　マウス
３１　発生警報画面
３２　メモ欄
３３　メモ入力エリア
３４　マウスポインタ
３５　警報履歴画面
３９　メモ欄用のソーティングキー
【図１】
2004085268.tif 000003
【図２】
2004085268.tif 000004
【図３】
2004085268.tif 000005
【図４】
2004085268.tif 000006
【図５】
2004085268.tif 000007
【図６】
2004085268.tif 000008